(57)【特許請求の範囲】
【請求項１】
シャッターボタンの半押し時にオートフォーカス調整を行い、シャッターボタンの全押し後に撮影を行う撮影手段と、
この撮影手段のぶれ量を検出するぶれ量検出手段と、
前記シャッターボタンの半押し操作毎に、前記ぶれ量検出手段により前記シャッターボタンの半押し操作前後のぶれ量を比較し、この比較結果に基づいて撮影者の手ぶれ傾向が収束する傾向か否かを判定してその手ぶれ傾向を示す情報を蓄積し、蓄積した情報に基づいて撮影者の手ぶれ傾向を特定し、前記シャッターボタンが全押しされた場合、前記特定した手ぶれ傾向に従った撮影処理を実行させる撮影制御手段と
を備えることを特徴とする撮影装置。
【請求項２】
前記撮影制御手段は、前記シャッターボタン半押し後の平均手ぶれ量を半押し前の平均手ぶれ量で除算した値を求め、この除算した値が所定の値以上なら、平均手ぶれ量がシャッターボタン操作前の平均手ぶれ量以下の値になった場合に撮影を実行し、前記除算した値が前記所定の値より小さいなら、ぶれ量から求めたぶれの影響を低減可能な撮影条件を求め、この撮影条件と自動設定された撮影条件のうち、ぶれの少ない画像を撮影可能な方の撮影条件で撮影を行うことを特徴とする請求項１に記載の撮影装置。
【請求項３】
シャッターボタンの半押し操作毎に、前記シャッターボタンの半押し操作前後のぶれ量を比較し、この比較結果に基づいて撮影者の手ぶれ傾向が収束する傾向か否かを判定してその手ぶれ傾向を示す情報を蓄積し、蓄積した情報に基づいて撮影者の手ぶれ傾向を特定し、前記シャッターボタンが全押しされた場合、前記特定した手ぶれ傾向に従った撮影処理を実行することを特徴とする撮影装置の制御方法。
【請求項４】
シャッターボタンの半押し時にオートフォーカス調整を行い、シャッターボタンの全押し後に撮影を行う撮影部を有するコンピュータを、
前記撮影部のぶれ量を検出するぶれ量検出手段と、
前記シャッターボタンの半押し操作毎に、前記ぶれ量検出手段により前記シャッターボタンの半押し操作前後のぶれ量を比較し、この比較結果に基づいて撮影者の手ぶれ傾向が収束する傾向か否かを判定してその手ぶれ傾向を示す情報を蓄積し、蓄積した情報に基づいて撮影者の手ぶれ傾向を特定し、前記シャッターボタンが全押しされた場合、前記特定した手ぶれ傾向に従った撮影処理を実行させる撮影制御手段として機能させるための制御プログラム。
【発明の詳細な説明】
【技術分野】
【０００１】
本発明は、ぶれの少ない撮影が可能な撮影装置、その制御方法及び制御プログラムに関する。
【背景技術】
【０００２】
従来より、ぶれ量検出機能を有するカメラが知られている。この種のカメラには、シャッターボタンの全押し操作後に検出されたぶれ量とぶれ許容値とを比較し、ぶれ量がぶれ許容値より大きい場合は通常の撮影モードから上記ぶれ許容値を低い値に変更するぶれ低減モードに移行し、ぶれ量がぶれ許容値を下回った際に撮影を行うものがある（例えば、特許文献１）。
また、この種のカメラには、シャッターボタンの全押し操作後のぶれ量の波形の極大値を検出したタイミングから予め定めた時間だけ遅延させたタイミングで撮影を行うものもある（例えば、特許文献２）。
【特許文献１】特開平８−３２０５１１号公報
【特許文献２】特開平５−１０７６２２号公報
【発明の開示】
【発明が解決しようとする課題】
【０００３】
しかしながら、上記特許文献１記載のものは、ぶれ量が収束するか否かに関係なく、予め定めたぶれ許容値を下回ったことを条件に撮影を行うので、ぶれ量が後に収束する場合であっても収束前に撮影を行う場合が生じ、ぶれの少ない画像を効率的に撮影することができない。また、ぶれが収束せずに定常的に発生している場合には、ぶれ低減モードに移行するまでは撮影を行わないので、撮影までのタイムラグが長くなってしまう問題が生じる。
一方、上記特許文献２記載のものについても、ぶれ量が収束するか否かに関係なく、ぶれ量の波形の極大値を検出したタイミングを基準に撮影を行うので、ぶれが収束したタイミングで撮影を行うことができない。
【０００４】
本発明は、上述した事情に鑑みてなされたものであり、撮影者の手ぶれ傾向を簡易に特定してぶれを低減した画像を撮影することができる撮影装置、その制御方法、制御プログラム及び記録媒体を提供することにある。
【課題を解決するための手段】
【０００５】
上記課題を解決するため、本発明は、撮影装置において、シャッターボタンの半押し時にオートフォーカス調整を行い、シャッターボタンの全押し後に撮影を行う撮影手段と、この撮影手段のぶれ量を検出するぶれ量検出手段と、前記シャッターボタンの半押し操作毎に、前記ぶれ量検出手段により前記シャッターボタンの半押し操作前後のぶれ量を比較し、この比較結果に基づいて撮影者の手ぶれ傾向が収束する傾向か否かを判定してその手ぶれ傾向を示す情報を蓄積し、蓄積した情報に基づいて撮影者の手ぶれ傾向を特定し、前記シャッターボタンが全押しされた場合、前記特定した手ぶれ傾向に従った撮影処理を実行させる撮影制御手段とを備えることを特徴とする。
この発明によれば、撮影者の手ぶれ傾向を簡易に特定でき、かつ、特定した手ぶれ傾向に従った撮影処理を実行するので、ぶれを低減した画像を撮影することが可能になる。
【０００６】
上記発明において、前記撮影制御手段が、前記シャッターボタンの半押し操作前後のぶれ量を比較し、この比較結果に基づいて撮影者の手ぶれ傾向が収束する傾向か否かを判定するので、手ぶれ傾向を予測する予測演算等する場合に比して撮影者の手ぶれ傾向を簡易に特定することができる。
【０００７】
また、上記発明において、前記撮影制御手段は、前記シャッターボタンの半押し操作毎に、撮影者の手ぶれ傾向を判定してその手ぶれ傾向を示す情報を蓄積し、蓄積した情報に基づいて撮影者の手ぶれ傾向を特定するので、一般にシャッターボタンの全押し操作よりも頻繁に行われる半押し操作毎に、撮影者の手ぶれ傾向を示す情報を蓄積するので、サンプリング数を多くでき、多数サンプリングされた情報に基づいて撮影者の手ぶれ傾向を特定するので、判定精度が向上する。
この場合、前記撮影制御手段は、前記シャッターボタン半押し後の平均手ぶれ量を半押し前の平均手ぶれ量で除算した値を求め、この除算した値が所定の値以上なら、平均手ぶれ量がシャッターボタン操作前の平均手ぶれ量以下の値になった場合に撮影を実行し、前記除算した値が前記所定の値より小さいなら、ぶれ量から求めたぶれの影響を低減可能な撮影条件を求め、この撮影条件と自動設定された撮影条件のうち、ぶれの少ない画像を撮影可能な方の撮影条件で撮影を行うようにしてもよい。
【０００８】
また、本発明は、撮影装置の制御方法において、シャッターボタンの半押し操作毎に、前記シャッターボタンの半押し操作前後のぶれ量を比較し、この比較結果に基づいて撮影者の手ぶれ傾向が収束する傾向か否かを判定してその手ぶれ傾向を示す情報を蓄積し、蓄積した情報に基づいて撮影者の手ぶれ傾向を特定し、前記シャッターボタンが全押しされた場合、前記特定した手ぶれ傾向に従った撮影処理を実行することを特徴とする。この発明によれば、撮影者の手ぶれ傾向を簡易に特定でき、かつ、特定した手ぶれ傾向に従った撮影処理を実行するので、ぶれを低減した画像を撮影することが可能になる。
【０００９】
また、本発明は、以上説明した撮影装置及びその制御方法に適用する他、この発明を実施するための制御プログラムを電気通信回線を介してダウンロード可能にしたり、そのようなプログラムを、磁気記録媒体、光記録媒体、半導体記録媒体といった、コンピュータに読み取り可能な記録媒体に記憶して配布する、といった態様でも実施され得る。
【００１０】
本発明によれば、撮影者の手ぶれ傾向を簡易に特定でき、かつ、特定した手ぶれ傾向に従った撮影処理を実行するので、ぶれを低減した画像を撮影することが可能になる。
【発明を実施するための最良の形態】
【００１１】
以下、図面を参照して本発明の実施形態を詳述する。
図１は本発明の実施形態に係るデジタルカメラ（撮影装置）１０の構成を示すブロック図である。このデジタルカメラ１０は、撮影部２０、表示部３０、操作部４０、角速度検出部５０、制御部６０、外部記録再生部７０及び着脱自在なリムーバブルメモリ８０を備えている。
撮影部２０は、光学系２１、イメージセンサ２２、アナログフロントエンド（ＡＦＥ）部２３、画像処理部２４及び圧縮・伸張部２５を有している。光学系２１は、複数のレンズ２１ａ、絞り２１ｂ等で構成され、制御部６０の制御の下、いずれかのレンズ２１ａと絞り２１ｂが駆動されて、被写体をイメージセンサ２２の受光面に結像させる。
【００１２】
イメージセンサ２２は、２次元空間に離散的に配置された光電変換素子とＣＣＤ（Charge Coupled Device）等の電荷転送素子とを備えた撮像素子であり、いわゆるＣＣＤイメージセンサ、ＣＭＯＳイメージセンサ等が適用されている。イメージセンサ２２は、制御部６０の制御の下、受光面に結像された被写体像を光電変換して得られる電荷を光電変換素子毎に一定時間蓄積し、光電変換素子毎の受光量に応じた電気信号を出力する。なお、イメージセンサ２２の露光量は、絞り２１ｂのＦ値や光学系２１とイメージセンサ２２との間に設けられる図示しないメカニカルシャッタの開放時間とで決定され、撮影時の露光量は、制御部６０が設定したシャッター速度及び露出時間に基づいて決定される。また、イメージセンサ２２の露光時間はイメージセンサ２２の電荷蓄積時間自体を電気的に制御することによって調整してもよい。
【００１３】
ＡＦＥ部２３は、イメージセンサ２２から出力される電気信号をＡＤ変換器でデジタル信号に量子化してＲＡＷデータを出力し、画像処理部２４は、ＲＡＷデータに対し、３原色（ＲＧＢ）の濃淡レベルを持つカラー画像を形成する画像形成処理、ホワイトバランス補正、ガンマ補正等を施して画像データを出力する。
圧縮・伸張部２５は、画像処理部２４から出力された画像データを圧縮し、また、圧縮された画像データを伸張するものであり、圧縮した画像データは外部記録再生部７０に出力し、外部記録再生部７０は、制御部６０の制御の下、画像データをリムーバブルメモリ８０に記録する。また、外部記録再生部７０は、制御部６０の制御の下、リムーバブルメモリ８０に記録された圧縮画像データを読み出して圧縮・伸張部２５に出力する。なお、リムーバブルメモリ８０は、半導体メモリ、光ディスク、磁気ディスク又はハードディスク等が適用される。
【００１４】
表示部３０は、液晶ディスプレイや液晶駆動部等を備え、制御部６０の制御の下、操作メニューや撮影画像等の各種情報を表示する情報出力手段として機能する。このデジタルカメラ１０は、動作モードとして、静止画を撮影する撮影モードと、撮影済みの静止画を再生する再生モードとを少なくとも備え、上記表示部３０には、例えば撮影モードの場合には、撮影部２０により撮影中の画像が表示され、再生モードの場合には、外部記録再生部７０によってリムーバブルメモリ８０から読み出され圧縮・伸張部２５により伸張された画像データの画像が表示される。なお、本実施形態では、撮影モードとして複数の撮影モードを備えている。
【００１５】
この複数の撮影モードには、制御部６０が露出時間（シャッター速度）と絞り値を算出して撮影する自動露出モード、露出時間をユーザ（撮影者）が入力し絞り値については制御部６０が算出するシャッター優先モード、絞り値をユーザが入力し露出時間は制御部６０が算出する露出優先モード、露出時間及び絞り値をユーザが入力するプログラムモード等があり、また、各モードは全てセルフタイマーを使用して撮影できるようになっている。
【００１６】
操作部４０は、ユーザによって操作される複数の操作子を有し、この操作子には、撮影を指示する押下式のシャッターボタン（撮影指示用の操作子）４１ａや、動作モードの選択や撮影条件の設定等を行う操作キーがあり、シャッターボタン４１ａについては、最奧部まで押下された全押し状態と、いわゆる半押しで押下された状態とを検出可能に構成されている。
【００１７】
角速度検出部５０は、デジタルカメラ１０のぶれ量を検出するぶれ量検出手段として機能するものであり、図２に示すように、撮像対象のフレームＦＬの上下方向（以下、Ｘ軸と定義する）の角速度を検出するＸ軸ジャイロセンサ５１と、左右方向（以下、Ｙ軸と定義する）の角速度を検出するＹ軸ジャイロセンサ５２とを有している。この角速度検出部５０は、２つのジャイロセンサ５１、５２によりＸ軸及びＹ軸の各角速度に応じた電圧値の角速度検出信号を制御部６０に出力する。
【００１８】
制御部（撮影制御手段）６０は、デジタルカメラ１０の各部を制御するコンピュータとして機能するものであり、
図１に示すように、各種プログラムの実行や演算処理をするＣＰＵ６１と、このＣＰＵ６１が実行する制御プログラム１００や各種データを格納する書換可能なフラッシュＲＯＭ（以下、単に「ＲＯＭ」という）６２と、上記ＣＰＵ６１の演算結果や各種データを一時的に格納するためのワークエリアとして機能するＲＡＭ６３とを備えている。
【００１９】
この制御プログラム１００は、磁気記録媒体、光記録媒体又は半導体記録媒体等のコンピュータ読み取り可能な記録媒体１１０に記録して配布したり、通信ネットワーク上の配信サーバからダウンロード可能にすることができる。さらに、パーソナルコンピュータと本デジタルカメラ１０とを通信可能にケーブル等で接続し、パーソナルコンピュータで読み取られた記録媒体１１０の制御プログラム１００をデジタルカメラ１０に出力することで、ＲＯＭ（記憶手段）６２に制御プログラム１００を格納することも可能である。
そして、制御部６０は、上記制御プログラムを実行することにより、シャッターボタン４１ａが半押しされると、撮影部のレンズ２１ａを駆動して被写体に焦点を合わせるオートフォーカス調整（自動焦点調整）や自動露出（ＡＥ）演算等の処理を行い、シャッターボタン４１ａが全押し操作されると、自動露出演算の結果に基づき絞り２１ｂを調整してイメージセンサ２２により撮影画像の取得を行う。
【００２０】
ところで、発明者らが手ぶれ傾向を調査したところ、撮影に慣れていない人（以下、撮影未熟練者という。）の場合、図３に示すように、シャッターボタン４１ａを半押ししたタイミングＴ１及び全押ししたタイミングＴ２のいずれにおいてもその前後でぶれ量が殆ど変わらない手ぶれ傾向αとなり、撮影に慣れた人（以下、撮影熟練者という。）の場合、図４に示すように、シャッターボタン４１ａを半押ししたタイミングＴ１及び全押ししたタイミングＴ２の直後にぶれ量が増えるものの、それ以外の時間は撮影未熟練者よりもぶれ量が少ない手ぶれ傾向βとなることを見出した。すなわち、撮影未熟練者はシャッターボタン４１ａの操作前後でぶれ量があまり変化しないのに対し、撮影熟練者はシャッターボタン４１ａの操作前後でぶれ量が大きく変化し、シャッターボタン４１ａの全押し操作後にぶれが収束することを見出した。
そこで、本実施形態では、シャッターボタン４１ａの半押し操作前後のぶれ量に基づいて手ぶれ傾向が上記２つの手ぶれ傾向α、βのいずれに該当するかを判定し、撮影者が撮影熟練者か撮影未熟練者か否かを判別する撮影者判別処理を実行させる撮影者判別プログラムを制御プログラム１００に含めている。
【００２１】
次に撮影者判別プログラム実行時の動作を説明する。図５は、この場合の動作を示すフローチャートである。この撮影プログラムは撮影モード時に実行され、まず、制御部６０は、撮影モードに移行すると、ぶれ量取得処理を行う（ステップＳ１）。このぶれ量取得処理は、制御部６０が角速度検出部５０から角速度検出信号を取り込み、手ぶれに相当するぶれ量（以下、「手ぶれ量」という。）を算出し、この算出処理を複数回繰り返すことによって複数時点の手ぶれ量を取得してＲＡＭ６３に格納する処理である。
【００２２】
次に、制御部６０は、シャッターボタン４１ａが半押しされたか否かを判定し（ステップＳ２）、半押しされない場合には（ステップＳ２：NO）、半押し操作されるまでＲＡＭ６３に格納された手ぶれ量を最新の値に更新し、ＲＡＭ６３に予め定めた数サンプルの直前の手ぶれ量を格納しておく。
一方、シャッターボタン４１ａが半押し操作された場合には（ステップＳ２：YES）、制御部６０は、ＲＡＭ６３に格納された半押し前の複数サンプルの手ぶれ量の平均値（平均手ぶれ量）ＭＡを演算により求めると共に（ステップＳ３）、手ぶれ量取得処理を継続し、半押し後の複数時点（複数サンプル）の手ぶれ量を取得し、この半押し後の手ぶれ量の平均値（平均手ぶれ量）ＭＢを演算により求める（ステップＳ４）。
【００２３】
続いて、制御部６０は、半押し後の平均手ぶれ量ＭＢを半押し前の平均手ぶれ量ＭＡで除算した値Ｘを求め、この除算値Ｘが、予め定めた閾値Ｌ１以上か否かを判定する（ステップＳ５）。ここで、この閾値Ｌ１は、シャッターボタン４１ａの半押し前後のぶれ量が撮影熟練者のものか撮影未熟練者のものかを判定する判定基準値であり、例えば、撮影熟練者は、半押し操作直後にぶれ量が多くなるため、上記除算値Ｘは１以上の値であり、撮影未熟練者は半押し操作前後でぶれ量が殆ど変わらないため上記除算値Ｘは略１前後の値と予想され、上記閾値Ｌ１には、例えば１．５以上の値が適用される。
【００２４】
そして、上記平均手ぶれ量ＭＢと平均手ぶれ量ＭＡの除算値Ｘが閾値Ｌ１以上の場合（ステップＳ５：YES）、制御部６０は、撮影者が撮影熟練者であると判断し、撮影者が撮影熟練者の手ぶれ傾向であることを示す手ぶれ傾向情報をＲＡＭ６３又はＲＯＭ６２に格納し（ステップＳ６）、除算値Ｘが閾値Ｌ１未満の場合には（ステップＳ５：NO）、撮影者が撮影未熟練者であると判断し、撮影者が撮影未熟練者の手ぶれ傾向であることを示す手ぶれ傾向情報をＲＡＭ６３又はＲＯＭ６２に格納する（ステップＳ７）。以上が撮影者判別処理の動作である。
この撮影者判別処理は、撮影モード時に繰り返し実行され、これにより、撮影者がシャッターボタン４１ａを半押し操作する毎に、撮影者の手ぶれ傾向情報がＲＡＭ６３又はＲＯＭ６２に格納されて蓄積される。
【００２５】
続いて、シャッターボタン４１ａが全押しされた場合、制御部６０は、蓄積された撮影者の手ぶれ傾向情報を参照し、これに基づき撮影者が撮影熟練者と判定される場合には、撮影熟練者の手ぶれ傾向βに従った第１撮影処理を実行し、撮影者が撮影未熟練者と判定される場合には、撮影未熟練者の手ぶれ傾向αに従った第２撮影処理を実行する。以下、第１撮影処理と第２撮影処理を詳述する。
【００２６】
第１撮影処理の場合、撮影者の手ぶれ傾向はシャッターボタン４１ａの全押し操作後に手ぶれ量が収束する傾向（図４の手ぶれ傾向βに相当）になる可能性が高いため、ぶれ量が収束するのを待って撮影を行っている。
図６は第１撮影処理を示すフローチャートである。この図に示すように、制御部６０は、まず、ぶれ量取得処理を開始してシャッターボタン操作後の手ぶれ量を順次取得し（ステップＳ１０）、この手ぶれ量の平均値（以下、平均手ぶれ量Ｍ１）を演算により求め（ステップＳ１１）、この平均手ぶれ量Ｍ１が、記憶済みのシャッターボタン操作前の平均手ぶれ量ＭＡ以下か否かを判定する（ステップＳ１２）。
ここで、平均手ぶれ量Ｍ１が平均手ぶれ量ＭＡより大きい場合には（ステップＳ１２：NO）、制御部６０は、ステップＳ１０の処理に移行し、これにより、新たに平均手ぶれ量Ｍ１を求め、この平均手ぶれ量Ｍ１が平均手ぶれ量ＭＡ以下か否かを判定するステップＳ１０〜Ｓ１２の処理を繰り返す。
【００２７】
この場合、撮影者の手ぶれ傾向はシャッターボタン操作後に収束する傾向（撮影熟練者の手ぶれ傾向）となる可能性が高いため、平均手ぶれ量Ｍ１がシャッターボタン操作前の平均手ぶれ量ＭＡ以下の値に収束し（ステップＳ１２:YES）、この場合、制御部６０は、当該制御部６０が自動設定或いはユーザが手動設定した撮影条件（露出時間、絞り値）で撮影を実行する（ステップＳ１３）。これにより、ぶれ量が最も少なくなったタイミングで、最適な撮影条件で撮影を行うことができ、ぶれの少ない高品位な画像を撮影することができる。以上が第１撮影処理である。
【００２８】
次に第２撮影処理を説明する。第２撮影処理の場合、撮影者の手ぶれ傾向は収束しない傾向（図３の手ぶれ傾向αに相当）になる可能性が高いため、ぶれ量から求めたぶれの影響を低減可能な撮影条件を求め、この撮影条件と自動設定された撮影条件のうちいずれか厳しい方の条件で撮影を行うようにしている。
図７は第２撮影処理を示すフローチャートである。なお、本実施形態では撮影条件のうち露出時間を設定する場合を例示するが、露出時間に限らず、絞り値を設定してもよい。
図７に示すように、制御部６０は、まず、撮影プログラムに予め記述された許容手ぶれ量設定値Ｌ２を取得し（ステップＳ２０）、この許容手ぶれ量設定値Ｌ２から記憶済みの平均手ぶれ量ＭＡを除算し、この除算値に基づいてぶれを回避可能なぶれ回避露出時間ＴＡを設定する（ステップＳ２１）。
【００２９】
次に、制御部６０は、自動露出した場合の露出時間（自動露出時間という。）ＴＢを取得し（ステップＳ２２）、この自動露出時間ＴＢがぶれ回避露出時間ＴＡ以下か否かを判定する（ステップＳ２３）。そして、制御部６０は、自動露出時間ＴＢがぶれ回避露出時間ＴＡ以下の場合は（ステップＳ２３：YES）、実際に使用する露出時間を自動露出時間ＴＢに設定する一方（ステップＳ２４）、自動露出時間ＴＡがぶれ回避露出時間ＴＢを超える場合は（ステップＳ２３：NO）、実際に使用する露出時間を自動露出時間ＴＡに設定する。その後、制御部６０は、上記設定した露出時間を含む撮影条件で撮影を実行する（ステップＳ２５）。
このように、ぶれを回避可能なぶれ回避露出時間ＴＡ以下の露出時間で撮影を行うので、ぶれ量が比較的大きい状況下でも、ぶれの少ない画像を撮影することができ、しかも、シャッターボタン操作後にすぐに撮影を行うので、撮影タイミングの遅れ（タイムラグ）を確実に回避することができる。以上が第２撮影処理である。
【００３０】
以上説明したように、本実施形態では、シャッターボタン４１ａの半押し操作前後のぶれ量に基づいて撮影者の手ぶれ傾向が撮影熟練者の傾向（収束する傾向）βか、撮影未熟練者の傾向（収束しない傾向）αかを特定するので、手ぶれ傾向を予測する予測演算等を行うことなく、撮影者の手ぶれ傾向を簡易かつ迅速に特定することができる。
しかも、一般に、シャッターボタン４１ａの半押し操作は、シャッターボタン４１ａの全押し操作よりも頻繁に行われるため、全押し操作前後の手ぶれから撮影者の手ぶれ傾向情報を取得する場合に比して、手ぶれ傾向情報のサンプリング数を多くすることができる。従って、この多数サンプリングされた手ぶれ傾向情報に基づいて撮影者の手ぶれ傾向が撮影熟練者のものか撮影未熟練者のものかを判定することにより、判定精度が向上し、第１撮影処理と第２撮影処理のうち、撮影者がぶれのない画像を撮影するのに最適な撮影処理を選択することができる。
【００３１】
具体的には、撮影者の手ぶれ傾向を判定する場合、多数サンプリングされた手ぶれ傾向情報のうち、単純に最も多い手ぶれ傾向情報を採用する方法、直近（直近の期間或いは直前の数サンプル）の手ぶれ傾向情報のうち最も多い手ぶれ傾向情報を採用する方法、直近のものほど重み付けをして最も比重が高い手ぶれ傾向情報を採用する方法等を適用すればよい。上記方法を採用することにより、例えば、撮影者が実際には撮影初心者（撮影未熟練者）であるにも関わらず、希に撮影熟練者と同じ手ぶれ傾向であった場合でも、撮影者を撮影熟練者と誤判定する場合を回避することが可能になる。
【００３２】
また、本実施形態では、撮影者の手ぶれ傾向が撮影熟練者の傾向βの場合には、手ぶれ傾向が収束したタイミングですぐに撮影を行うので、タイムラグを抑制しつつ、適切な撮影条件でぶれ量が少ない画像を撮影することが可能になる。また、撮影者の手ぶれ傾向が撮影未熟練者の傾向αの場合には、ぶれを回避可能な撮影条件ですぐに撮影を行うので、ぶれの少ない画像をタイムラグなく撮影することが可能になる。
【００３３】
（応用例）
上述の実施の形態では、シャッターボタン４１ａの半押し前後のぶれ量を取得し、前後のぶれ量の比率に基づいて撮影者の手ぶれ傾向が撮影未熟練者の手ぶれ傾向αか撮影熟練者の手ぶれ傾向βか否かを判定する場合についての述べたが、これに限らない。
例えば、シャッターボタン４１ａの半押し操作前の手ぶれ量が、撮影熟練者の方が撮影未熟練者に比して小さいことに着目し、シャッターボタン４１ａの半押し操作前の平均手ぶれ量ＭＡのみに基づいて、撮影者の手ぶれ傾向を判定してもよい。
また、これ以外に、撮影者熟練者が、シャッターボタン４１ａの半押し操作後に、半押し操作前に比して瞬時的に大きいぶれ量となることに着目し、シャッターボタン４１ａの半押し操作前の平均手ぶれ量ＭＡと、半押し操作後の手ぶれ最大値Ｍｍａｘとを取得し、最大値Ｍｍａｘと平均手ぶれ量ＭＡとの比に基づいて、撮影者の手ぶれ傾向を判定してもよい。
さらに、シャッターボタン４１ａの半押し操作後の手ぶれ量が、撮影熟練者の方が撮影未熟練者に比してばらつくことに着目し、半押し操作後の手ぶれ量のばらつき（分散）を演算により求め、この値に基づいて、撮影者の手ぶれ傾向を判定することも可能である。
【００３４】
また、上述の実施形態では、デジタルカメラに本発明を適用した場合を例示したが、これに限らず、要は、ぶれ量が問題となる機器に広く適用が可能である。例えば、デジタルカメラ以外の撮影装置に広く適用することが可能であり、具体的には、カメラ付き携帯電話機、銀塩カメラ、及び、カメラ付き或いはカメラを外付け可能なＰＤＡやノート型パソコン等に適用可能である。
【図面の簡単な説明】
【００３５】
【図１】本発明の実施形態に係るデジタルカメラの構成を示すブロック図である。
【図２】フレームとぶれの軸との関係を説明するための図である。
【図３】撮影未熟練者の手ぶれ傾向を示す図である。
【図４】撮影熟練者の手ぶれ傾向を示す図である。
【図５】撮影者判別プログラム実行時の動作を示すフローチャートである。
【図６】第１撮影処理を示すフローチャートである。
【図７】第２撮影処理を示すフローチャートである。
【符号の説明】
【００３６】
１０…デジタルカメラ（撮影装置）、２０…撮影部、３０…表示部、４０…操作部、４１ａ…シャッターボタン（撮影指示用の操作子）、５０…角速度検出部（ぶれ量検出手段）、６０…制御部（撮影制御手段）、７０…外部記録再生部、８０…リムーバブルメモリ、１００…制御プログラム、１１０…記録媒体。
【図１】
0004613827.tif 000002
【図２】
0004613827.tif 000003
【図３】
0004613827.tif 000004
【図４】
0004613827.tif 000005
【図５】
0004613827.tif 000006
【図６】
0004613827.tif 000007
【図７】
0004613827.tif 000008